(57)【要約】    【課題】  シャーカステンのレントゲンフィルム保持用ホルダーを，突出幅を可及的に小さくしてコンパクトに構成するとともに低コストにして優れた耐久性を有するものとする。    【解決手段】  シャーカステンＢにおけるレントゲンフィルム読影用の基板４に透孔５を透設し，基板４の裏面に透孔５を塞ぐように強磁性の鉄系金属による裏面プレート７を接着テープ１０で固定し，該透孔５にマグネット６を嵌挿配置することによって該マグネット６を固定する。また基板４の表面に同じく透孔５を塞ぐように弱磁性の１８−８ステンレス鋼の挟持プレート８を配置して接着テープ１０によって開閉自在に固定する。マグネット６が裏面プレート７に固定された状態で，該マグネット６と挟持プレート８間にレントゲンフィルムを挿脱自在に挟持することができる。    【選択図】  図３
2007301807.tif 000002
【特許請求の範囲】
【請求項１】
基板に透設した透孔と，基板の肉厚と同一乃至短寸の高さにして透孔に埋込み状に嵌挿配置したマグネットと，上記透孔を裏面側で被覆するように基板の底面に配置した裏面プレートと，同じく上記透孔を表面側で被覆するように基板表面に配置した挟持プレートとを備え且つこれら裏面プレート及び挟持プレートの磁性を裏面プレートにおいて相対的に強，挟持プレートにおいて相対的に弱としてなることを特徴とするフィルム，ペーパー等のホルダー。
【請求項２】
上記裏面プレートを鉄系金属により，上記挟持プレートをステンレス鋼によりそれぞれ形成してなることを特徴とする請求項１に記載のフィルム，ペーパー等のホルダー。
【請求項３】
上記ステンレス鋼を，１８−８ステンレス鋼としてなることを特徴とする請求項２に記載のフィルム，ペーパー等のホルダー。
【請求項４】
装置本体の左右又は上下方向に上記ホルダーを複数配置することによってフィルム，ペーパー等の挿脱挟持を該複数のホルダーによって行うようにしてなることを特徴とする請求項１，２又は３に記載のフィルム，ペーパー等のホルダーを設置したホルダー設置装置。
【請求項５】
上記装置本体を背面照明体とし，上記基板を該背面照明体の光拡散板又はその光透過性カバー等の光透過性樹脂板としてなることを特徴とする請求項４に記載のホルダー設置装置。
【発明の詳細な説明】
【技術分野】
【０００１】
本発明は，例えばレントゲンフィルム，メモ用紙の如くにフィルム，ペーパー等の挟持物を挿脱挟持自在としたフィルム，ペーパー等のホルダー及びこれを設置したホルダー設置装置に関する。
【背景技術】
【０００２】
この種ホルダーとして，基板と，該基板表面に，例えば下方の一端を開口するように表面側に突出配置したケースと，該ケース内に奥行方向転動自在にして遊嵌状に収納したローラー乃至ボールと，上記開口から挿入したフィルム，ペーパー等の挟持物をローラー乃至ボールの遊嵌移動によって基板表面とローラー乃至ボール間に挟持することによって挿脱挟持自在としてものが知られており，この場合上記挿脱挟持はローラー乃至ボールと挟持物との摩擦抵抗を利用して，これを行うものとされている。
【０００３】
【特許文献１】特開２００２−２１６３号公報
【発明の開示】
【発明が解決しようとする課題】
【０００４】
上記ローラー乃至ボールを用いたものは，比較的低コストにしてフィルム，ペーパー等の挟持物を挿脱挟持自在となし得るが，一方で，ローラー乃至ボールを遊嵌可能に収納するためのケースを不可欠とするために，基板からケースがその表面側に突出するのを避けることができず，従ってホルダーをコンパクトな構造のものとすることができないこと，フィルム，ペーパー等の挟持物の挟持及びその挿脱にローラー乃至ボールと挟持物との摩擦抵抗を利用するために，一般に軽量樹脂製とされるこれらローラー乃至ボールが使用頻度に応じて磨耗することを避けられず，従って磨耗によって挟持物の挟持やスムーズな挿脱をなし得なくなって，耐久性に劣る傾向が生じること等の問題点を残している。
【０００５】
本発明はかかる事情に基づいてなされたものであって，その解決課題とするところは，基板の表面からの突出幅を可及的に小さくしてコンパクトに構成し得るとともに可及的低コストにして優れた耐久性を備えて挟持物の挟持を確実になし得るようにしたフィルム，ペーパー等のホルダーを提供し，またこれを設置したホルダー設置装置を提供するにある。
【課題を解決するための手段】
【０００６】
上記課題に沿って本発明は，基板にマグネットを埋込配置し，該マグネットを，基板裏面の相対的に磁性の強い裏面プレートに強吸着することにより該基板に固定的に保持する一方，基板の表面に配置した挟持プレートの磁性を相対的に弱くして該挟持プレートをマグネットに対して弱吸着保持することによって，マグネットを上記裏面プレートに強吸着保持した状態で，該マグネットから挟持プレートを剥離可能として，基板に沿ってフィルム，ペーパー等をマグネットと該挟持プレート間にその挿脱と挿入時の挟持を自在とする構成として，ホルダーの構成部材を，上記基板，磁性強さの異なる裏面プレート，挟持プレート，透孔に嵌挿してこれらの間に配置したマグネットの少数部材とするとともにその厚さを基板とこれらプレートの基板からの突出寸法による極限的な薄さとし，また磨耗等の耐久性を損なう可能性を解消し得るようにしたものであって，即ち請求項１に記載の発明を，基板に透設した透孔と，基板の肉厚と同一乃至短寸の高さにして透孔に埋込み状に嵌挿配置したマグネットと，上記透孔を裏面側で被覆するように基板の底面に配置した裏面プレートと，同じく上記透孔を表面側で被覆するように基板表面に配置した挟持プレートとを備え且つこれら裏面プレート及び挟持プレートの磁性を裏面プレートにおいて相対的に強，挟持プレートにおいて相対的に弱としてなることを特徴とするフィルム，ペーパー等のホルダーとしたものである。
【０００７】
請求項２に記載の発明は，上記に加えて，上記裏面プレートと挟持プレートの磁性に相対的な強弱を付するために，これらを好ましい形態のものとするように，これを，上記裏面プレートを鉄系金属により，上記挟持プレートをステンレス鋼によりそれぞれ形成してなることを特徴とする請求項１に記載のフィルム，ペーパー等のホルダーとしたものである。
【０００８】
請求項３に記載の発明は，同じく上記に加えて，上記磁性の相対的に弱いステンレス鋼として，１８−８ステンレス鋼を用いると，特にフィルム，ペーパー等の挿脱とその挟持をスムーズ且つ確実になし得るものとするように，これを，上記ステンレス鋼を，１８−８ステンレス鋼としてなることを特徴とする請求項２に記載のフィルム，ペーパー等のホルダーとしたものである。
【０００９】
請求項４に記載の発明は，上記ホルダーを用い，フィルム，ペーパー等の安定した挟持をなし得るとともに使い勝手のよいホルダー設置装置を提供し得るように，これを，装置本体の左右又は上下方向に上記ホルダーを複数配置することによってフィルム，ペーパー等の挿脱挟持を該複数のホルダーによって行うようにしてなることを特徴とする請求項１，２又は３に記載のフィルム，ペーパー等のホルダーを設置したホルダー設置装置としたものである。
【００１０】
請求項５に記載の発明は，上記に加えて，該ホルダー設置装置を背面照明体として，これに上記ホルダーを用いることによって，例えばレントゲンフィルム読影用のシャーカステン等ホルダー設置装置の使い勝手を向上し得るように，これを，上記装置本体を背面照明体とし，上記基板を該背面照明体の光拡散板又はその光透過性カバー等の光透過性樹脂板としてなることを特徴とする請求項４に記載のホルダー設置装置としたものである。
【００１１】
本発明は，これらをそれぞれ発明の要旨として上記課題解決の手段としたものである。
【発明の効果】
【００１２】
本発明は以上のとおりに構成したから，請求項１に記載の発明は，基板にマグネットを埋込配置し，該マグネットを，基板裏面の相対的に磁性の強い裏面プレートに強吸着することにより該基板に固定的に保持する一方，基板の表面に配置した挟持プレートの磁性を相対的に弱くして該挟持プレートをマグネットに対して弱吸着保持することによって，マグネットを上記裏面プレートに強吸着保持した状態で，該マグネットから挟持プレートを剥離可能として，基板に沿ってフィルム，ペーパー等をマグネットと該挟持プレート間にその挿脱と挿入時の挟持を自在とする構成として，ホルダーの構成部材を，上記基板，磁性強さの異なる裏面プレート，挟持プレート，透孔に嵌挿してこれらの間に配置したマグネットの少数部材とするとともにその厚さを基板とプレートの基板からの突出寸法の極限的な薄さとし，また磨耗等の耐久性を損なう可能性を解消し得るようにすることにより，基板の表面からの突出幅を可及的に小さくしてコンパクトに構成し得るとともに可及的低コストにして優れた耐久性を備えて挟持物の挟持を確実になし得るようにしたフィルム，ペーパー等のホルダーを提供することができる。
【００１３】
請求項２に記載の発明は，上記に加えて，上記裏面プレートと挟持プレートの磁性に相対的な強弱を付するために，これらを好ましい形態のものとすることができる。
【００１４】
請求項３に記載の発明は，同じく上記に加えて，上記磁性の相対的に弱いステンレス鋼として，１８−８ステンレス鋼を用いて，特にフィルム，ペーパー等の挿脱とその挟持をスムーズ且つ確実になし得るものとすることができる。
【００１５】
請求項４に記載の発明は，上記ホルダーを用い，フィルム，ペーパー等の安定した挟持をなし得るとともに使い勝手のよいホルダー設置装置を提供することができる。
【００１６】
請求項５に記載の発明は，上記に加えて，該ホルダー設置装置を背面照明体とし，これに上記ホルダーを用いることによって，例えばレントゲンフィルム読影用のシャーカステン等ホルダー設置装置の使い勝手を向上したものとすることができる。
【発明を実施するための最良の形態】
【００１７】
以下図面の例に従って本発明を更に具体的に説明すれば，Ａは，フィルム，ペーパー等，本例にあってはフィルム，特にレントゲンフィルムのホルダー，Ｂは該レントゲンフィルムの読影を行うに用いるシャーカーテンである。
【００１８】
シャーカーテンＢは，ボックス本体１に，図示省略の背面照明体を装填し，背面照明体の光源によってその表面に配置した基板，本例にあっては光透過性樹脂板の光拡散板又はその光透過性カバーを介して，該基板４に設置したホルダーＡに挿脱挟持することによって保持したレントゲンフィルムを背面照明するものとしてあり，このとき該背面照明は蛍光灯光源を並列配置した直下型のもの又は導光板の入射端面に蛍光灯光源，ＬＥＤ光源等を臨設したエッジライト型のものを用いるものとしてある。
【００１９】
ホルダーＡは，該シャーカーテンＢの，本例にあっては上記基板４の左右又は上下方向，本例にあっては左右方向に複数配置することによって上記レントゲンフィルムの挿脱挟持を該複数のホルダーＡによって行うようにしてあり，本例のホルダーＡは，これを左右に隣接するように対としてレントゲンフィルムの横幅に合わせて，例えば左右４箇所に，各箇所を対とするように４対を設置し，各レントゲンフィルムをその横幅方向上端の２箇所で挿脱挟持を行って，シャーカーテンに同時に２枚のレントゲンフィルムを保持して読影し得るようにしてある。
【００２０】
このときホルダーＡは，上記光拡散板又はその光透過性カバーとした基板４に透設した透孔５と，基板４の肉厚と同一乃至短寸の高さにして透孔５に埋込み状に嵌挿配置したマグネット６と，上記透孔４を裏面側で被覆するように基板４の底面に配置した裏面プレート７と，同じく上記透孔５を表面側で被覆するように基板５表面に配置した挟持プレート８とを備え且つこれら裏面プレート７及び挟持プレート８の磁性を裏面プレート７において相対的に強，挟持プレート８において相対的に弱としたものとしてある。
【００２１】
本例にあってマグネット６は，例えば平面円形にしてその厚さを基板より０．０１乃至０．数ｍｍ程度薄くして略基板の厚さに合せたものとし，該マグネット６を，基板４に透設し，該マグネット５の平面形状に合せて透設した透孔５に嵌挿配置してある。
【００２２】
裏面プレート７は，基板４の透孔５をその裏面側で塞ぐように該基板４の透孔５の周縁を部分的に拡大するように凹陥形成した凹陥部に埋込状に嵌合固定するか，接着剤，接着テープ，ネジ止め等適宜の固定手段によって固定を行って基板４に配置し，その相対的に強とした磁性によって上記マグネット６を吸着して該マグネット６の固定を行ってある。
【００２３】
該裏面プレート７は，例えばこれを鉄系金属，例えば鉄，ニッケル，コバルト等又はこれらの合金により円形，矩形等適宜の平面形状を有するフラットな平板として形成し，本例にあって基板４の透孔５周縁に刳り貫き状に凹陥配置した凹部に対して埋込み状に嵌合固定し，更に念のために図示省略の接着テープによってその裏面側への脱落防止を行ってあり，このように裏面プレート７をマグネット６の裏面に配置することによって該マグネット６を強吸着し，上記透孔５に嵌挿配置したマグネット６に固定のための措置を施すことなく，単に嵌挿配置することによって簡易にして確実にその固定を行ってある。本例にあって該鉄系金属の裏面プレート７は，これを上記マグネット６を安定且つ確実に強吸着し得る程度の肉厚にして，基板４の裏面側への突出を可及的に抑制した０.１乃至０．数ｍｍ程度，本例にあっては０.数ｍｍ程度の肉厚のものとしてある。このとき本例のマグネット６は，上記基板４の透孔５の深さ寸法，即ち基板４の肉厚から上記裏面プレート７嵌合固定の凹部の深さを除いた寸法より僅かに薄い厚さとすることによって，上記裏面プレート７への吸着固定状態で，該基板との肉厚差である上記０.０１乃至０．数ｍｍ程度，特に０.０数ｍｍ程度を基板４の表面から凹陥するようにその嵌挿配置を行ってある。
【００２４】
挟持プレート８は，例えばこれをステンレス鋼により形成してあり，これによって磁性を上記裏面プレート７より相対的に弱くして，基板４表面をガイドとしてレントゲンフィルムをマグネット６と挟持プレート８の間に差込み，また引き抜くことにより，挟持プレート８がマグネット６から浮上り状に剥離し，該レントゲンフィルムの挿入乃至その脱出を許容するとともに相対的に弱い乍らもその磁性によってレントゲンフィルムを挟持してそのシャーカーテンＢへの保持を行うようにしてある。
【００２５】
このとき本例にあって上記挟持プレート８のステンレス鋼は，これを，１８−８ステンレス鋼としてあり，これによってレントゲンフィルムの容易な挿入と確実な挟持並びに引き抜きによる容易な脱出を可能としてある。
【００２６】
即ち裏面プレート７に強磁性の上記鉄系金属を用い，挟持プレート８に弱磁性のステンレス鋼を用いるに際して，上記マグネット６の基板４表面からの凹陥を０.０数ｍｍ程度以下とした場合，例えばクロムの比率が６％を下回ると裏面プレート７との相対的な磁性差が小さくなりすぎ，レントゲンフィルムの挿脱がスムーズになし得ず，場合によっては挿脱が困難となりレントゲンフィルムの損傷を招き易く，また１０％を上回ると逆に相対的な磁性差が大きくなりすぎ，レントゲンフィルムの挟持力が弱くなって読影に際してレントゲンフィルムの落下を招き易くなり，従って上記裏面プレート７を鉄系金属とするとき，レントゲンフィルムのスムーズな挿脱とレントゲンフィルムの落下防止の挟持力の確保のために，該挟持プレート８は，これを１８−６乃至１８−１０の範囲の，一般には１８−６ステンレス鋼，１８−８ステンレス鋼，１８−１０ステンレス鋼を用いるのがよいが，１８−８ステンレス鋼を用いるのが，該レントゲンフィルム及び後述のペーパーのホルダーＡとして特に好ましい。
【００２７】
本例にあって挟持プレート８は，例えば円形，矩形等適宜の平面形状を有するとともにレントゲンフィルムの差込側他端，本例において基板４配置状態でその下端に，基板４表面との間にレントゲンフィルムの受入空隙を形成する傾斜乃至湾曲舌片９を備えて，例えば０．１乃至０．数ｍｍ程度，本例にあっては０．１ｍｍ程度のステンレス鋼板をプレス成形して形成したものとしてある。
【００２８】
該挟持プレート８は，これを，基板４の透孔５をその表面側で覆うように接着剤，接着テープ，ネジ止め等の適宜の固定手段によってその一端，本例において基板４配置状態でその上端を固定してあり，本例にあって該挟持プレート８は，その表面の上端から基板の表面に向けて配置した接着テープ１０によってこれを固定し，該接着テープ１０をヒンジとする如くに基板４に対して開閉自在としてある。
【００２９】
また上記レントゲンフィルムの受入空隙を形成する本例の傾斜乃至湾曲舌片９は，例えば，これを上面を凹陥状にして下端に向けて上向き，即ち正面側に反るように湾曲した，その最大突出幅を数ｍｍ，例えば２〜３ｍｍ程度とした湾曲舌片としてある。
【００３０】
このように構成したホルダーＡは，その構成部材を，基板４，磁性強さの異なる薄板の裏面プレート７と薄板にして傾斜乃至湾曲舌片９を有する挟持プレート８，透孔５に嵌挿してこれらの間に配置したマグネット６とすることによって少数の部材により，その基板４からの突出寸法を，上記裏面プレート７を該基板４に埋込状に嵌合したことによって挟持プレート８の突出幅，即ち実質的に傾斜乃至湾曲舌片９の突出幅とする極限的な薄さのものとするとともにマグネット６を基板４表面から凹陥するように配置することによって基板４表面をガイドとするレントゲンフィルムの挿脱に際してマグネット６が挿脱障害となるのを防止可能とし，また磁性を相対的に強くした裏面プレート７にマグネット６を強吸着することによってマグネット６の固定措置を不要とし，その生産を可及的に容易化する一方，レントゲンフィルムの挟持を該マグネット６と磁性を相対的に弱くした挟持ホルダー８によって挿脱自在に挟持することにより，レントゲンフィルムの挿脱に起因する磨耗がなく，従って長期に亘って確実なレントゲンフィルムの保持を行って耐久性に優れたものとすることができ，従って該ホルダーＡを備えたシャーカーテンＢは，その表面の基板に沿ってこれをガイドとするようにレントゲンフィルムを差込み及び引抜きを行うことによって背面照明を用いたレントゲンフィルムの読影をスムーズ且つ確実になし得るものとすることができる。
【００３１】
図中２は，シャーカーテンＢにおける背面照明のスイッチ，３はその輝度調整摘みを示す。
【００３２】
図示した例は以上のとおりとしたが，小面積の基板を用いて，該基板の裏面に適宜の固定手段によって固定した裏面プレートに，透孔に嵌挿配置したマグネットを強吸着する一方，基板の表面に挟持プレートを同じく適宜の固定手段によって固定することによって，例えばメモ用紙等のペーパーを挿脱自在に挟持する事務用品分野のペーパー用ホルダーとして構成すること，この場合を含めて裏面プレートと挟持プレートにおける磁性の相対的強弱，特に挟持プレートの磁性を適宜に設定して，フィルム，ペーパー等の挿脱自在の挟持を適確になし得るようにすること等を含めて，ホルダー，その基板，透孔，マグネット，裏面プレート，挟持プレート，磁性の相対的強弱等の各具体的構成，形状，材質，寸法，また該ホルダーを設置したホルダー設置装置の具体的構成，用途等は，上記発明の要旨に反しない限り様々な形態のものとすることができる。
【図面の簡単な説明】
【００３３】
【図１】シャーカーテンの一部切欠き斜視図である。
【図２】ホルダーの拡大図である。
【図３】ホルダーの分解斜視図である。
【図４】ホルダーの縦断面図である。
【符号の説明】
【００３４】
Ａ  ホルダー
Ｂ  シャーカーテン
１  ボックス本体
２  スイッチ
３  輝度調整用摘み
４  基板
５  透孔
６  マグネット
７  裏面プレート
８  挟持プレート
９  舌片
１０  接着テープ
【図１】
2007301807.tif 000003
【図２】
2007301807.tif 000004
【図３】
2007301807.tif 000005
【図４】
2007301807.tif 000006
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
基板に透設した透孔と，該透孔の深さより僅かに薄い肉厚にして該透孔に埋込み状に嵌挿配置したマグネットと，基板の透孔裏面に配置した裏面プレートと，基板の透孔表面に配置した挟持プレートとを備え，上記裏面プレートの磁性を相対的に強，挟持プレートの磁性を相対的に弱とし，上記透孔のマグネットを強磁性の裏面プレートに吸着固定して，該マグネットを基板の表面から上記透孔との薄さ分凹陥して配置するとともに弱磁性の挟持プレートを該マグネットから浮上り状剥離自在として基板表面をガイドとするフィルム，ペーパー等の差込みと引き抜きを可能としてなることを特徴とするフィルム，ペーパー等のホルダー。
【請求項２】
上記基板が上記透孔とともにその周縁を部分的に拡大するように凹陥形成した透孔裏面の凹陥部を備え，上記裏面プレートを該凹陥部に埋込状に嵌合して透孔裏面に配置してなることを特徴とする請求項１に記載のフィルム，ペーパー等のホルダー。
【請求項３】
上記裏面プレートを鉄系金属により，上記挟持プレートをステンレス鋼によりそれぞれ形成してなることを特徴とする請求項１に記載のフィルム，ペーパー等のホルダー。
【請求項４】
装置本体の左右又は上下方向に上記ホルダーを複数配置することによってフィルム，ペーパー等の挿脱挟持を該複数のホルダーによって行うようにしてなることを特徴とする請求項１，２又は３に記載のフィルム，ペーパー等のホルダーを設置したホルダー設置装置。
【請求項５】
上記装置本体を背面照明体とし，上記基板を該背面照明体の光拡散板又はその光透過性カバー等の光透過性樹脂板としてなることを特徴とする請求項４に記載のホルダー設置装置。
【手続補正２】
【補正対象書類名】明細書
【補正対象項目名】全文
【補正方法】変更
【補正の内容】
【発明の詳細な説明】
【技術分野】
【０００１】
本発明は，例えばレントゲンフィルム，メモ用紙の如くにフィルム，ペーパー等の挟持物を挿脱挟持自在としたフィルム，ペーパー等のホルダー及びこれを設置したホルダー設置装置に関する。
【背景技術】
【０００２】
この種ホルダーとして，基板と，該基板表面に，例えば下方の一端を開口するように表面側に突出配置したケースと，該ケース内に奥行方向転動自在にして遊嵌状に収納したローラー乃至ボールと，上記開口から挿入したフィルム，ペーパー等の挟持物をローラー乃至ボールの遊嵌移動によって基板表面とローラー乃至ボール間に挟持することによって挿脱挟持自在としたものが知られており，この場合上記挿脱挟持はローラー乃至ボールと挟持物との摩擦抵抗を利用して，これを行うものとされている。
【０００３】
【特許文献１】特開２００２−２１６３号公報
【発明の開示】
【発明が解決しようとする課題】
【０００４】
上記ローラー乃至ボールを用いたものは，比較的低コストにしてフィルム，ペーパー等の挟持物を挿脱挟持自在となし得るが，一方で，ローラー乃至ボールを遊嵌可能に収納するためのケースを不可欠とするために，基板からケースがその表面側に突出するのを避けることができず，従ってホルダーをコンパクトな構造のものとすることができないこと，フィルム，ペーパー等の挟持物の挟持及びその挿脱にローラー乃至ボールと挟持物との摩擦抵抗を利用するために，一般に軽量樹脂製とされるこれらローラー乃至ボールが使用頻度に応じて磨耗することを避けられず，従って磨耗によって挟持物の挟持やスムーズな挿脱をなし得なくなって，耐久性に劣る傾向が生じること等の問題点を残している。
【０００５】
本発明はかかる事情に基づいてなされたものであって，その解決課題とするところは，基板の表面からの突出幅を可及的に小さくしてコンパクトに構成し得るとともに可及的低コストにして優れた耐久性を備えて挟持物の挟持を確実になし得るようにしたフィルム，ペーパー等のホルダーを提供し，またこれを設置したホルダー設置装置を提供するにある。
【課題を解決するための手段】
【０００６】
上記課題に沿って本発明は，基板にマグネットを埋込配置し，該マグネットを，基板裏面の相対的に磁性の強い裏面プレートに強吸着することにより該基板にその表面から僅かに凹陥した状態に固定的に保持する一方，基板の表面に配置した挟持プレートの磁性を相対的に弱くして該挟持プレートをマグネットに対して弱吸着保持することによって，マグネットを上記裏面プレートに強吸着保持した固定状態で，該マグネットから挟持プレートを浮上り状剥離自在として，基板に沿って該基板をガイドとして，フィルム，ペーパー等をマグネットと該挟持プレート間にその挿脱と挿入時の挟持を行うように構成し，該ホルダーの構成部材を，上記基板，磁性強さの異なる裏面プレートと挟持プレート，透孔に嵌挿してこれらの間に配置したマグネットとによる少数部材とするとともにその厚さを基板とこれらプレートの基板からの突出寸法の厚さとし，また磨耗等の耐久性を損なう可能性を解消し得るようにしたものであって，即ち請求項１に記載の発明を，基板に透設した透孔と，該透孔の深さより僅かに薄い肉厚にして該透孔に埋込み状に嵌挿配置したマグネットと，基板の透孔裏面に配置した裏面プレートと，基板の透孔表面に配置した挟持プレートとを備え，上記裏面プレートの磁性を相対的に強，挟持プレートの磁性を相対的に弱とし，上記透孔のマグネットを強磁性の裏面プレートに吸着固定して，該マグネットを基板の表面から上記透孔との薄さ分凹陥して配置するとともに弱磁性の挟持プレートを該マグネットから浮上り状剥離自在として基板表面をガイドとするフィルム，ペーパー等の差込みと引き抜きを可能としてなることを特徴とするフィルム，ペーパー等のホルダーとしたものである。
【０００７】
請求項２に記載の発明は，上記に加えて，裏面プレートを基板に埋込状に嵌合することによって，ホルダーを，基板と挟持プレートの突出幅とする極限的な薄さのものとするように，これを，上記基板が上記透孔とともにその周縁を部分的に拡大するように凹陥形成した透孔裏面の凹陥部を備え，上記裏面プレートを該凹陥部に埋込状に嵌合して透孔裏面に配置してなることを特徴とする請求項１に記載のフィルム，ペーパー等のホルダーとしたものである。
【０００８】
請求項３に記載の発明は，同じく上記に加えて，上記裏面プレートと挟持プレートの磁性に相対的な強弱を付するために，これらの材質を好ましい形態のものとするように，これを，上記裏面プレートを鉄系金属により，上記挟持プレートをステンレス鋼によりそれぞれ形成してなることを特徴とする請求項１に記載のフィルム，ペーパー等のホルダーとしたものである。
【０００９】
請求項４に記載の発明は，上記ホルダーを用い，フィルム，ペーパー等の安定した挟持をなし得るとともに使い勝手のよいホルダー設置装置を提供し得るように，これを，装置本体の左右又は上下方向に上記ホルダーを複数配置することによってフィルム，ペーパー等の挿脱挟持を該複数のホルダーによって行うようにしてなることを特徴とする請求項１，２又は３に記載のフィルム，ペーパー等のホルダーを設置したホルダー設置装置としたものである。
【００１０】
請求項５に記載の発明は，上記に加えて，該ホルダー設置装置を背面照明体として，これに，上記ホルダーを用いることによって，例えばレントゲンフィルム読影用のシャーカステン等としてのホルダー設置装置の使い勝手を向上し得るように，これを，上記装置本体を背面照明体とし，上記基板を該背面照明体の光拡散板又はその光透過性カバー等の光透過性樹脂板としてなることを特徴とする請求項４に記載のホルダー設置装置としたものである。
【００１１】
本発明は，これらをそれぞれ発明の要旨として上記課題解決の手段としたものである。
【発明の効果】
【００１２】
本発明は以上のとおりに構成したから，請求項１に記載の発明は，基板にマグネットを埋込配置し，該マグネットを，基板裏面の相対的に磁性の強い裏面プレートに強吸着することにより該基板にその表面から僅かに凹陥した状態に固定的に保持する一方，基板の表面に配置した挟持プレートの磁性を相対的に弱くして該挟持プレートをマグネットに対して弱吸着保持することによって，マグネットを上記裏面プレートに強吸着保持した固定状態で，該マグネットから挟持プレートを浮上り状剥離自在として，基板に沿って該基板をガイドとして，フィルム，ペーパー等をマグネットと該挟持プレート間にその挿脱と挿入時の挟持を行うように構成し，該ホルダーの構成部材を，上記基板，磁性強さの異なる裏面プレートと挟持プレート，透孔に嵌挿してこれらの間に配置したマグネットとによる少数部材とするとともにその厚さを基板とこれらプレートの基板からの突出寸法の厚さとし，また磨耗等の耐久性を損なう可能性を解消し得るようにして，基板の表面からの突出幅を可及的に小さくしてコンパクトに構成し得るとともに可及的低コストにして優れた耐久性を備えて挟持物の挟持を確実になし得るようにしたフィルム，ペーパー等のホルダーを提供することができる。
【００１３】
請求項２に記載の発明は，上記に加えて，裏面プレートを基板に埋込状に嵌合することによって，ホルダーを，基板と挟持プレートの突出幅とする極限的な薄さのものとすることができる。
【００１４】
請求項３に記載の発明は，同じく上記に加えて，上記裏面プレートと挟持プレートの磁性に相対的な強弱を付するために，これらの材質を好ましい形態のものとすることができる。
【００１５】
請求項４に記載の発明は，上記ホルダーを用い，フィルム，ペーパー等の安定した挟持をなし得るとともに使い勝手のよいホルダー設置装置を提供することができる。
【００１６】
請求項５に記載の発明は，上記に加えて，該ホルダー設置装置を背面照明体とし，これに上記ホルダーを用いることによって，例えばレントゲンフィルム読影用のシャーカステン等としてのホルダー設置装置の使い勝手を向上したものとすることができる。
【発明を実施するための最良の形態】
【００１７】
以下図面の例に従って本発明を更に具体的に説明すれば，Ａは，フィルム，ペーパー等，本例にあってはフィルム，特にレントゲンフィルムのホルダー，Ｂは該レントゲンフィルムの読影を行うに用いるシャーカステンである。
【００１８】
シャーカステンＢは，ボックス本体１に，図示省略の背面照明体を装填し，背面照明体の光源によってその表面に配置した基板，本例にあっては光透過性樹脂板の光拡散板又はその光透過性カバーを介して，該基板４に設置したホルダーＡに挿脱挟持することによって保持したレントゲンフィルムを背面照明するものとしてあり，このとき該背面照明は蛍光灯光源を並列配置した直下型のもの又は導光板の入射端面に蛍光灯光源，ＬＥＤ光源等を臨設したエッジライト型のものを用いるものとしてある。
【００１９】
ホルダーＡは，該シャーカステンＢの，本例にあっては上記基板４の左右又は上下方向，本例にあっては左右方向に複数配置することによって上記レントゲンフィルムの挿脱挟持を該複数のホルダーＡによって行うようにしてあり，本例のホルダーＡは，これを左右に隣接するように対としてレントゲンフィルムの横幅に合わせて，例えば左右４箇所に，各箇所を対とするように４対を設置し，各レントゲンフィルムをその横幅方向上端の２箇所で挿脱挟持を行って，シャーカステンに同時に２枚のレントゲンフィルムを保持して読影し得るようにしてある。
【００２０】
このときホルダーＡは，上記光拡散板又はその光透過性カバーとした基板４に透設した透孔５と，該透孔５の深さより僅かに薄い肉厚にして該透孔５に埋込み状に嵌挿配置したマグネット６と，基板４の透孔５裏面に配置した裏面プレート７と，基板４の透孔５表面に配置した挟持プレート８とを備え，上記裏面プレート７の磁性を相対的に強，挟持プレート８の磁性を相対的に弱とし，上記透孔５のマグネット６を強磁性の裏面プレート７に吸着固定して，該マグネット６を基板４の表面から上記透孔との薄さ分凹陥して配置するとともに弱磁性の挟持プレート８を該マグネット６から浮上り状剥離自在として基板４表面をガイドとするフィルム，ペーパー等の差込みと引き抜きを可能としたものとしてあり，本例にあって，上記基板４は，これが上記透孔５とともにその周縁を部分的に拡大するように凹陥形成した透孔５裏面の凹陥部を備え，上記裏面プレート７を該凹陥部に埋込状に嵌合して透孔５裏面に配置したものとしてある。
【００２１】
本例にあってマグネット６は，例えば平面円形にしてその厚さを上記基板４の透孔５の深さ寸法，即ち基板４の肉厚から上記裏面プレート７嵌合固定の凹陥部の深さを除いた寸法より僅かに薄い厚さとして，該透孔５に嵌挿配置してあり，これによって上記裏面プレート７への吸着固定状態で，該基板との肉厚差である上記０.０１乃至０．数ｍｍ程度，特に０.０数ｍｍ程度を基板４表面から凹陥するようにその嵌挿配置を行ってある。
【００２２】
裏面プレート７は，上記透孔５裏面の凹陥部に該透孔５をその裏面側で塞ぐように埋込状に嵌合固定して配置し，更に念のために図示省略の接着テープによってその裏面側への脱落防止を行ってあり，また，その相対的に強とした磁性によって上記マグネット６を強吸着して該マグネット６の固定を行ってあり，これによって上記透孔５に嵌挿配置したマグネット６に固定のための措置を施すことなく，単にこれを嵌挿配置することによって簡易にして確実にその固定を行ってある。
【００２３】
該裏面プレート７は，例えばこれを鉄系金属，例えば鉄，ニッケル，コバルト等又はこれらの合金により円形，矩形等適宜の平面形状を有するフラットな平板として形成してあり，本例にあって該鉄系金属の裏面プレート７は，これを上記マグネット６を安定且つ確実に強吸着し得る程度の肉厚にして，上記凹陥部に配置して基板４の裏面側への突出を可及的に抑制した０.１乃至０．数ｍｍ程度，本例にあっては０.数ｍｍ程度の肉厚のものとしてある。
【００２４】
挟持プレート８は，例えばこれをステンレス鋼により形成してあり，これによって磁性を上記裏面プレート７より相対的に弱くして，基板４表面をガイドとしてレントゲンフィルムをマグネット６と挟持プレート８の間に差込み，また引き抜くことにより，挟持プレート８がマグネット６，即ち基板４表面から浮上り状に剥離し，基板４をガイドとする該レントゲンフィルムの挿脱，即ち差込みと引き抜きを許容するとともに相対的に弱い乍らもその磁性によってレントゲンフィルムを挟持してそのシャーカステンＢへの保持を行うようにしてある。
【００２５】
このとき本例にあって上記挟持プレート８のステンレス鋼は，これを，１８−８ステンレス鋼としてあり，これによってレントゲンフィルムの容易な差込みによる挿入と確実な挟持並びに引き抜きによる容易な脱出を可能としてある。
【００２６】
即ち裏面プレート７に強磁性の上記鉄系金属を用い，挟持プレート８に弱磁性のステンレス鋼を用いるに際して，上記マグネット６の基板４表面からの凹陥を０.０数ｍｍ程度以下とした場合，例えばクロムの比率が６％を下回ると裏面プレート７との相対的な磁性差が小さくなりすぎ，レントゲンフィルムの挿脱がスムーズになし得ず，場合によっては挿脱が困難となりレントゲンフィルムの損傷を招き易く，また１０％を上回ると逆に相対的な磁性差が大きくなりすぎ，レントゲンフィルムの挟持力が弱くなって読影に際してレントゲンフィルムの落下を招き易くなり，従って上記裏面プレート７を鉄系金属とするとき，レントゲンフィルムのスムーズな挿脱とレントゲンフィルムの落下防止の挟持力の確保のために，該挟持プレート８は，これを１８−６乃至１８−１０の範囲の，一般には１８−６ステンレス鋼，１８−８ステンレス鋼，１８−１０ステンレス鋼を用いるのがよいが，１８−８ステンレス鋼を用いるのが，該レントゲンフィルム及び後述のペーパーのホルダーＡとして，その挿脱と挟持をスムーズ且つ確実になし得るものとする上で，特に好ましい。
【００２７】
本例にあって挟持プレート８は，例えば円形，矩形等適宜の平面形状を有するとともにレントゲンフィルムの差込側他端，本例において基板４配置状態でその下端に，基板４表面との間にレントゲンフィルムの受入空隙を形成する傾斜乃至湾曲舌片９を備えて，例えば０．１乃至０．数ｍｍ程度，本例にあっては０．１ｍｍ程度のステンレス鋼板をプレス成形して形成したものとしてある。
【００２８】
該挟持プレート８は，これを，基板４の透孔５をその表面側で覆うように接着剤，接着テープ，ネジ止め等の適宜の固定手段によってその一端，本例において基板４配置状態でその上端を固定してあり，本例にあって該挟持プレート８は，その表面の上端から基板の表面に向けて配置した接着テープ１０によってこれを固定し，該接着テープ１０をヒンジとする如くに基板４に対して開閉自在としてある。
【００２９】
また上記レントゲンフィルムの受入空隙を形成する本例の傾斜乃至湾曲舌片９は，例えば，これを上面を凹陥状にして下端に向けて上向き，即ち正面側に反るように湾曲した，その最大突出幅を数ｍｍ，例えば２〜３ｍｍ程度とした湾曲舌片としてある。
【００３０】
このように構成したホルダーＡは，その構成部材を，基板４，磁性強さの異なる薄板の裏面プレート７と薄板にして傾斜乃至湾曲舌片９を有する挟持プレート８，透孔５に嵌挿してこれらの間に配置したマグネット６として，少数の部材により，その基板４からの突出寸法を，上記裏面プレート７を該基板４に埋込状に嵌合したことと相俟って，挟持プレート８の突出幅，即ち実質的に傾斜乃至湾曲舌片９の突出幅とする極限的な薄さのものとするとともにマグネット６を基板４表面から凹陥するように配置することによって基板４表面をガイドとするレントゲンフィルムの挿脱に際してマグネット６が挿脱障害となるのを防止可能とし，また磁性を相対的に強くした裏面プレート７にマグネット６を強吸着することによってマグネット６の固定措置を不要とし，その生産を可及的に容易化する一方，レントゲンフィルムの挟持を該マグネット６と磁性を相対的に弱くした挟持ホルダー８によって挿脱自在に挟持することにより，レントゲンフィルムの挿脱に起因する磨耗がなく，従って長期に亘って確実なレントゲンフィルムの保持を行って耐久性に優れたものとすることができ，従って該ホルダーＡを備えたシャーカステンＢは，その表面の基板に沿ってこれをガイドとするようにレントゲンフィルムを差込み及び引抜きを行うことによって背面照明を用いたレントゲンフィルムの読影をスムーズ且つ確実になし得るものとすることができる。
【００３１】
図中２は，シャーカステンＢにおける背面照明のスイッチ，３はその輝度調整摘みを示す。
【００３２】
図示した例は以上のとおりとしたが，上記裏面プレートを，接着剤，接着テープ，ネジ止め等適宜の固定手段によって固定して基板４に配置して，同様にその相対的に強とした磁性によって上記マグネット６を吸着してその固定を行うことによってホルダーを形成すること，小面積の基板を用いて，該基板の裏面に適宜の固定手段によって固定した裏面プレートに，透孔に嵌挿配置したマグネットを強吸着する一方，基板の表面に挟持プレートを同じく適宜の固定手段によって固定することによって，例えばメモ用紙等のペーパーを挿脱自在に挟持する事務用品分野のペーパー用ホルダーとして構成すること等を含めて，ホルダー，基板，透孔，マグネット，裏面プレート，挟持プレート，磁性の相対的強弱等の各具体的構成，形状，材質，寸法，また該ホルダーを設置したホルダー設置装置の具体的構成，用途等は，上記発明の要旨に反しない限り様々な形態のものとすることができる。
【図面の簡単な説明】
【００３３】
【図１】シャーカステンの正面図である。
【図２】ホルダーの拡大斜視図である。
【図３】ホルダーの分解斜視図である。
【図４】ホルダーの縦断面図である。
【符号の説明】
【００３４】
Ａ    ホルダー
Ｂ    シャーカステン
１    ボックス本体
２    スイッチ
３    輝度調整用摘み
４    基板
５    透孔
６    マグネット
７    裏面プレート
８    挟持プレート
９    舌片
１０  接着テープ